(57)【要約】      （修正有）【課題】読影の依頼件数に関する情報を、該情報を閲覧するユーザの属性に応じた適切な表示形態で提示情報処理装置及び情報処理方法を提供する。【解決手段】本発明の情報処理装置は、外部装置から送信された識別情報が表すユーザの役職に応じて、読影の依頼件数に応じた表示画面情報を生成して外部装置に送信する。識別情報が表す役職が受け付け担当、且つ読影医である場合、依頼件数を上限値とする数直線と共に該依頼件数を表す棒グラフの表示、読影医毎の依頼件数のうち最大の依頼件数を上限値とする数直線と共に該読影医毎の依頼件数を表す棒グラフの表示、読影医毎の依頼件数のうち最大の依頼件数を上限値とする数直線と共にユーザの依頼件数を表す棒グラフの表示、を１つの表示画面で行うための表示画面情報を生成して外部装置に送信する。【選択図】図８
2019083054.tif 000002
【特許請求の範囲】
【請求項１】
読影の依頼件数を管理する管理手段と、
外部装置から送信された識別情報が表すユーザの役職に応じて、前記依頼件数に応じた表示画面情報を生成して該外部装置に送信する送信手段と
を備え、
前記送信手段は、前記識別情報が表す役職が受け付け担当、且つ読影医である場合には、
前記依頼件数を上限値とする数直線と共に、該依頼件数を表す棒グラフを表示する第１の表示、
前記依頼件数の内訳として前記管理手段が管理している読影医毎の依頼件数のうち最大の依頼件数を上限値とする数直線と共に、該読影医毎の依頼件数を表す棒グラフを表示する第２の表示、
前記依頼件数の内訳として前記管理手段が管理している読影医毎の依頼件数のうち最大の依頼件数を上限値とする数直線と共に、前記依頼件数の内訳として前記管理手段が管理している前記ユーザの依頼件数を表す棒グラフを表示する第３の表示、
として規定される第１乃至３の表示を１つの表示画面で行うための表示画面情報を生成して前記外部装置に送信する
ことを特徴とする情報処理装置。
【請求項２】
前記送信手段は、前記識別情報が表す役職が受け付け担当ではなく読影医である場合には、
前記ユーザの依頼件数を上限値とする数直線と共に前記ユーザの依頼件数を表す棒グラフを表示するための表示画面情報を生成して前記外部装置に送信することを特徴とする請求項１に記載の情報処理装置。
【請求項３】
前記送信手段は、前記識別情報が表す役職が読影医ではなく受け付け担当である場合には、
前記第１の表示及び前記第２の表示を１つの表示画面で行うための表示画面情報を生成して前記外部装置に送信することを特徴とする請求項１又は２に記載の情報処理装置。
【請求項４】
前記第１の表示において表示する棒グラフは、読影医に未割り当ての読影の依頼件の数、読影医に割り当てた読影の依頼件のうち読影待ちの依頼件の数、読影医に割り当てた依頼件のうち読影中の依頼件の数、読影医に割り当てた依頼件のうち依頼期限が過ぎた依頼件の数、のそれぞれに応じた区間が互いに異なる表示形態で表示される棒グラフであることを特徴とする請求項１乃至３の何れか１項に記載の情報処理装置。
【請求項５】
前記表示画面情報を受信して該表示画面情報に基づき表示画面を表示している前記外部装置において前記第１の表示における前記区間うち１以上が選択された場合には、前記送信手段は、該選択された区間に対応する依頼件の数の合計値を上限値とする数直線と共に、該合計値を表す棒グラフを表示する第１の表示、前記第２の表示、前記第３の表示、を１つの表示画面で行うための表示画面情報を生成して前記外部装置に送信することを特徴とする請求項４に記載の情報処理装置。
【請求項６】
前記第２の表示において読影医毎に表示する棒グラフは、該読影医に割り当てた読影の依頼件のうち読影待ちの依頼件の数、該読影医に割り当てた依頼件のうち読影中の依頼件の数、該読影医に割り当てた依頼件のうち依頼期限が過ぎた依頼件の数、のそれぞれに応じた区間が互いに異なる表示形態で表示される棒グラフであることを特徴とする請求項１乃至５の何れか１項に記載の情報処理装置。
【請求項７】
前記表示画面情報を受信して該表示画面情報に基づき表示画面を表示している前記外部装置において前記第２の表示における前記区間うち１以上が選択された場合には、前記送信手段は、該選択された区間に対応する依頼件の数の合計値を読影医毎に求め、該求めた合計値のうち最大の合計値を上限値とする数直線と共に、読影医ごとの該合計値を表す棒グラフを表示する第２の表示、前記第１の表示、前記第３の表示、を１つの表示画面で行うための表示画面情報を生成して前記外部装置に送信することを特徴とする請求項６に記載の情報処理装置。
【請求項８】
前記第３の表示において表示する棒グラフは、前記ユーザに割り当てた読影の依頼件のうち読影待ちの依頼件の数、前記ユーザに割り当てた依頼件のうち読影中の依頼件の数、前記ユーザに割り当てた依頼件のうち依頼期限が過ぎた依頼件の数、のそれぞれに応じた区間が互いに異なる表示形態で表示される棒グラフであることを特徴とする請求項１乃至７の何れか１項に記載の情報処理装置。
【請求項９】
前記表示画面情報を受信して該表示画面情報に基づき表示画面を表示している前記外部装置において前記第３の表示における前記区間うち１以上が選択された場合には、前記送信手段は、該選択された区間に対応する依頼件の数の合計値を上限値とする数直線と共に、該合計値を表す棒グラフを表示する第３の表示、前記第１の表示、前記第２の表示、を１つの表示画面で行うための表示画面情報を生成して前記外部装置に送信することを特徴とする請求項８に記載の情報処理装置。
【請求項１０】
第１の情報処理装置と、第２の情報処理装置と、を有するシステムであって、
前記第１の情報処理装置は、
該第１の情報処理装置を操作するユーザの識別情報を前記第２の情報処理装置に対して送信する手段と、
前記第２の情報処理装置から受信した表示画面情報に基づく画面を表示する手段と
を備え、
前記第２の情報処理装置は、
読影の依頼件数を管理する管理手段と、
前記識別情報が表すユーザの役職に応じて、前記依頼件数に応じた前記表示画面情報を生成して前記第１の情報処理装置に送信する送信手段と
を備え、
前記送信手段は、前記識別情報が表す役職が受け付け担当、且つ読影医である場合には、
前記依頼件数を上限値とする数直線と共に、該依頼件数を表す棒グラフを表示する第１の表示、
前記依頼件数の内訳として前記管理手段が管理している読影医毎の依頼件数のうち最大の依頼件数を上限値とする数直線と共に、該読影医毎の依頼件数を表す棒グラフを表示する第２の表示、
前記依頼件数の内訳として前記管理手段が管理している読影医毎の依頼件数のうち最大の依頼件数を上限値とする数直線と共に、前記依頼件数の内訳として前記管理手段が管理している前記ユーザの依頼件数を表す棒グラフを表示する第３の表示、
として規定される第１乃至３の表示を１つの表示画面で行うための前記表示画面情報を生成して前記第１の情報処理装置に送信する
ことを特徴とするシステム。
【請求項１１】
情報処理装置が行う情報処理方法であって、
前記情報処理装置の管理手段が、読影の依頼件数を管理する管理工程と、
前記情報処理装置の送信手段が、外部装置から送信された識別情報が表すユーザの役職に応じて、前記依頼件数に応じた表示画面情報を生成して該外部装置に送信する送信工程と
を備え、
前記送信工程では、前記識別情報が表す役職が受け付け担当、且つ読影医である場合には、
前記依頼件数を上限値とする数直線と共に、該依頼件数を表す棒グラフを表示する第１の表示、
前記依頼件数の内訳として前記管理工程で管理している読影医毎の依頼件数のうち最大の依頼件数を上限値とする数直線と共に、該読影医毎の依頼件数を表す棒グラフを表示する第２の表示、
前記依頼件数の内訳として前記管理工程で管理している読影医毎の依頼件数のうち最大の依頼件数を上限値とする数直線と共に、前記依頼件数の内訳として前記管理工程で管理している前記ユーザの依頼件数を表す棒グラフを表示する第３の表示、
として規定される第１乃至３の表示を１つの表示画面で行うための表示画面情報を生成して前記外部装置に送信する
ことを特徴とする情報処理方法。
【請求項１２】
コンピュータを、請求項１乃至９の何れか１項に記載の情報処理装置の各手段として機能させるためのコンピュータプログラム。
【発明の詳細な説明】
【技術分野】
【０００１】
本発明は、読影に係る情報の表示制御に関する技術である。
【背景技術】
【０００２】
近年、インターネットに代表される計算機ネットワークの発達に伴い、ネットワークに接続されるサーバ上で様々なサービスが提供されるようになってきた。また、一つのサービス実行環境で、複数の契約先にサービスを提供する、マルチテナントサービスも多くなってきている。このようなサービスでは、ユーザが複数の契約先（テナント）に同時に属する場合があり、そのような場合の効率の良い情報提示方法が課題となっている。
【０００３】
従来技術として、特許文献１には、業務を管理するシステムにおいて、管理している端末ごとの業務の進捗状況を管理し、業務の構成変更を支持する技術が開示されている。また、特許文献２には、動的に更新される適用可能なサービスの一覧の利用者への提示を行い、利用者に、サービスの処理済み件数や実行中件数を提示する技術が開示されている。
【先行技術文献】
【特許文献】
【０００４】
【特許文献１】特開2004-102389号公報
【特許文献２】特開2001-075921号公報
【発明の概要】
【発明が解決しようとする課題】
【０００５】
しかしながら、上述した特許文献１の技術では、利用者が複数種類の業務を実施している場合に、処理の集中度合いを提示することができない。また、特許文献２の技術では、利用者が複数の組織に同時に属している場合に、処理件数をまとめて表示することができない。
【０００６】
本発明はこのような問題に鑑みてなされたものであり、読影の依頼件数に関する情報を、該情報を閲覧するユーザの属性に応じた適切な表示形態で提示するための技術を提供する。
【課題を解決するための手段】
【０００７】
本発明の一様態によれば、読影の依頼件数を管理する管理手段と、外部装置から送信された識別情報が表すユーザの役職に応じて、前記依頼件数に応じた表示画面情報を生成して該外部装置に送信する送信手段とを備え、前記送信手段は、前記識別情報が表す役職が受け付け担当、且つ読影医である場合には、前記依頼件数を上限値とする数直線と共に、該依頼件数を表す棒グラフを表示する第１の表示、前記依頼件数の内訳として前記管理手段が管理している読影医毎の依頼件数のうち最大の依頼件数を上限値とする数直線と共に、該読影医毎の依頼件数を表す棒グラフを表示する第２の表示、前記依頼件数の内訳として前記管理手段が管理している読影医毎の依頼件数のうち最大の依頼件数を上限値とする数直線と共に、前記依頼件数の内訳として前記管理手段が管理している前記ユーザの依頼件数を表す棒グラフを表示する第３の表示、として規定される第１乃至３の表示を１つの表示画面で行うための表示画面情報を生成して前記外部装置に送信することを特徴とする。
【発明の効果】
【０００８】
本発明の構成によれば、読影の依頼件数に関する情報を、該情報を閲覧するユーザの属性に応じた適切な表示形態で提示することができる。
【図面の簡単な説明】
【０００９】
【図１】遠隔読影システムの構成例を示す図。
【図２】ポータルサーバ１０２のハードウェア構成例を示すブロック図。
【図３】ポータル画面の表示例を示す図。
【図４】ポータル画面の表示例を示す図。
【図５】ポータル画面の表示例を示す図。
【図６】ポータル画面の表示例を示す図。
【図７Ａ】依頼情報群の構成例を示す図。
【図７Ｂ】テーブルの構成例を示す図。
【図８】該端末機器１１３、ポータルサーバ１０２のそれぞれによる処理のフローチャート。
【発明を実施するための形態】
【００１０】
以下、添付図面を参照し、本発明の好適な実施形態について説明する。なお、以下説明する実施形態は、本発明を具体的に実施した場合の一例を示すもので、特許請求の範囲に記載した構成の具体的な実施例の１つである。
【００１１】
［第１の実施形態］
先ず、本実施形態に係る遠隔読影システムの構成例について、図１を用いて説明する。図１に示す如く、本実施形態に係る遠隔読影システムは、読影を依頼する側である病院等の医療機関（依頼施設）と、依頼された読影を行ってその結果を返す機関である読影センタと、医療機関と読影センタと、の仲介を担うデータセンタの、それぞれの機関における機器により構成されるものである。それぞれの機関における機器（モダリティ１１１を除く）は、インターネットなどのネットワーク１９５に接続されており、該ネットワーク１９５を介して互いにデータ通信を行うことができる。
【００１２】
先ず、医療機関における機器について説明する。
【００１３】
モダリティ１１１は、ＣＴ装置やＭＲＩ装置等の、患者の医用画像を撮像するための機器であり、モダリティ１１１は、患者の医用画像を撮像すると、該撮像した医用画像を端末機器１１０に対して送出する。
【００１４】
端末機器１１０は、モダリティ１１１により撮像された医用画像から周知のＰＡＣＫファイルを作成し、該作成したＰＡＣＫファイルを、ネットワーク１９５を介してデータセンタに対して送信する。以下では、ＰＡＣＫファイルを医用画像と呼称する場合がある。
【００１５】
端末機器１０９は、モダリティ１１１によって撮像された医用画像に係る情報や、該医用画像に対する読影を依頼するための様々な情報を、依頼情報として作成するための機器である。この依頼情報は、例えば、図７Ａの各行において左端から５列分の情報である。図７Ａの各行には様々な依頼情報を示しており、例えば、上から１行目における依頼情報では、依頼先の医療機関（読影センター名）として「とととセンター」が設定されており、該依頼情報の識別情報（依頼ＩＤ）として「ＡＡＡ００００１」が設定されており、該依頼情報の依頼元（依頼元施設名）として「町立△△病院」が設定されており、該依頼情報による読影の依頼日時として「２０１４年５月２日」が設定されており、該読影の依頼期限（読影期限）として「２０１４年５月７日」が設定されている。
【００１６】
このような各項目における設定値は、ユーザが端末機器１０９の操作部を操作することで設定したり、端末機器１０９が自動的に設定したりする。例えば、読影期限についてはユーザが操作部を操作して設定し、依頼ＩＤについては、端末機器１０９が依頼情報を作成するたびにインクリメントする番号を依頼ＩＤとして発行し、依頼元施設名については端末機器１０９が予め自身に登録されている施設名（端末機器１０９が属する施設名）を設定し、依頼日時については端末機器１０９が計時している現在日時を設定する、というようにして、依頼情報における各項目の設定値を設定しても構わない。
【００１７】
そしてこのような依頼情報の生成後、ユーザが端末機器１０９の操作部を操作して依頼情報の送信指示を入力すると、端末機器１０９は、上記のようにして各項目の設定値が確定した依頼情報を、データセンタに対して送信する。
【００１８】
次に、読影センタについて説明する。
【００１９】
端末機器１１３は、Ｎ（Ｎは２以上の自然数）台の端末機器から成る端末機器の集合であり、読影医が読影等の目的で使用したり、受け付け担当がそれぞれの読影医における読影の進捗状況を確認したりする等の目的のために使用されるものである。
【００２０】
次に、データセンタについて説明する。
【００２１】
受信サーバ１０７は、端末機器１１０から送信されたＰＡＣＫファイルを受信すると、該受信したＰＡＣＫファイルをストレージサーバ１０５に転送する。ストレージサーバ１０５は、該転送されたＰＡＣＫファイルに対して固有の識別情報（例えばＩＤ）を発行し、該ＰＡＣＫファイルを該発行された識別情報と関連づけて記憶装置１１５に保存する。
【００２２】
読影管理サーバ１０１は、端末機器１０９から送信された依頼情報を受信すると、該受信した依頼情報に、該依頼情報によって依頼された読影をどの読影医に依頼するのかを示す情報及び該依頼情報による依頼の進捗状況を示す情報を加えたものを、改めて依頼情報としてデータベース１０８に保存する。この加える２つの情報は、例えば図７Ａの各行において、右端から２列分の情報（担当ユーザＩＤ及びステータス）である。
【００２３】
担当ユーザＩＤやステータスは、ユーザが読影管理サーバ１０１に備わっている操作部を操作することで設定しても良いし、読影管理サーバ１０１が規定の基準に従って設定しても構わない。ステータスについては、担当ユーザＩＤが確定した（依頼情報によって依頼された読影をどの読影医に依頼するのかが確定した）場合には、初期値として「読影待ち」が設定され、担当ユーザＩＤが確定しなかった（依頼情報によって依頼された読影をどの読影医に依頼するのかが確定しなかった）場合には、初期値として「未割当」が設定される。そして読影管理サーバ１０１は、端末機器１０９から受信した依頼情報に、このようにして設定された担当ユーザＩＤ及びステータスを加えたものを、改めて依頼情報としてデータベース１０８に登録する。
【００２４】
以上の説明から、図７Ａの各行は、データベース１０８に登録される様々な依頼情報を示しているため、実質的には、データベース１０８には、図７Ａに示すテーブルが登録されることになる。
【００２５】
担当者が決まると、データベース１０８に保存されたそれぞれの依頼情報（一部若しくは全部）は、電子メール等の形式でもって端末機器１１３に送信され、読影医に連絡される。これにより、読影医に対して医用画像の読影が依頼されることになる。もちろん、医療機関から読影医への医用画像の読影の依頼は、特定の方法によって行われることに限るものではなく、紙媒体の郵送やＦＡＸなど、如何なる方法を採用しても構わない。
【００２６】
なお、ここではＰＡＣＫファイルと依頼情報とは別個の記憶装置に保存されるものとして説明するが、同じ記憶装置内に保存させてもよい。何れにせよ、同じ読影依頼に対するＰＡＣＫファイルと依頼情報とは、互いに関連づけられた状態で保存される必要がある。例えば、ＰＡＣＫファイル及び識別情報を記憶装置１１５に保存した場合には、保存したＰＡＣＫファイルを利用する依頼情報は、該識別情報と関連づけてデータベース１０８に保存する。また例えば、図７Ａの場合には、依頼情報における「依頼ＩＤ」として、ＰＡＣＫファイルと共に保存した識別情報を用いることで、ＰＡＣＫファイルと依頼情報とを関連づけても良い。
【００２７】
認証サーバ１１６は、データセンタにアクセスしてきた機器に対する認証処理を行うための機器であり、図１の場合、端末機器１１０、端末機器１０９、端末機器１１３がデータセンタにアクセス可能である。これらの端末機器がデータセンタにアクセスした場合、認証サーバ１１６は、アクセスしてきた端末機器に対してユーザＩＤやパスワードといったユーザ情報を入力させるための画面情報を送信する。端末機器はこの画面情報に応じた画面を表示して、ユーザにユーザ情報の入力を促すので、ユーザは端末機器に備わっている操作部を操作して、自身のユーザ情報を入力する。そしてユーザが操作部を操作してユーザ情報の入力完了を指示すると、端末機器は、この入力されたユーザ情報を認証サーバ１１６に対して送信する。認証サーバ１１６は、この送信されたユーザ情報と、予めデータセンタに登録されたユーザ情報群との照合を行い、予め登録されたユーザ情報群の中に該送信されたユーザ情報が見つかった場合には認証成功と判断して、該端末機器からの以降のアクセスを許可し、見つからなかった場合には、認証失敗と判断して、該端末機器からの以降のアクセスを禁止する。このような一連の認証処理については周知の技術であるため、これに係るこれ以上の説明は省略する。もちろん、本実施形態では、アクセスしてきた端末機器に対する認証処理が行えれば良く、その方法やタイミングについては特定の方法、タイミングに限るものではない。
【００２８】
配信サーバ１０６は、端末機器１１３から要求された医用画像を記憶装置１１５から読み出して該端末機器１１３にダウンロードする。
【００２９】
レポートサーバ１０３は、端末機器１１３から送信された、読影の結果を示すレポートを受信し、該受信したレポートをデータベース１０８に保存する。
【００３０】
ポータルサーバ１０２は、端末機器１１３からポータル画面の要求を受けると、該ポータル画面を作成して該端末機器１１３に対して送信する。
【００３１】
なお、各機関における機器の構成については図１に示した構成に限るものではなく、例えば、１以上の機器（サーバ）の機能を１つの機器（サーバ）が担うようにしても構わないし、１つの機器の機能を２以上の機器に分散させても構わない。
【００３２】
次に、情報処理装置としてのポータルサーバ１０２のハードウェア構成例について、図２のブロック図を用いて説明する。なお、図２に示した構成は一例であり、ポータルサーバ１０２が行うものとして後述する各処理を実現可能な構成であれば、如何なる構成を採用しても構わない。
【００３３】
ＣＰＵ２０１は、ＲＡＭ２０３やＲＯＭ２０２に格納されているコンピュータプログラムやデータを用いて各種の処理を実行することでポータルサーバ１０２全体の動作制御を行うと共に、ポータルサーバ１０２が行うものとして後述する各処理を実行若しくは制御する。
【００３４】
ＲＯＭ２０２には、ポータルサーバ１０２の設定データやブートプログラムなどが格納されている。
【００３５】
ＲＡＭ２０３は、外部メモリ２１１からロードされたコンピュータプログラムやデータ、通信Ｉ／Ｆ（インターフェース）コントローラ２０８を介して外部から受信したデータなどを格納するためのエリアや、ＣＰＵ２０１が各種の処理を実行する際に用いるワークエリア、等を有する。このように、ＲＡＭ２０３は、各種のエリアを適宜提供することができる。
【００３６】
入力コントローラ２０５は、ＫＢ（キーボード）２０９の動作制御を行うためのもので、ユーザはＫＢ２０９を操作することで各種の指示をＣＰＵ２０１に対して入力することができる。
【００３７】
ビデオコントローラ２０６は、ディスプレイ２１０の動作制御を行うためのものであり、ディスプレイ２１０には、ＣＰＵ２０１による処理結果を画像や文字などでもって表示することができる。
【００３８】
メモリコントローラ２０７は、外部メモリ２１１に対する読み書きを制御するためのものである。外部メモリ２１１は、ハードディスクドライブ装置に代表される大容量情報記憶装置である。外部メモリ２１１には、ＯＳ（オペレーティングシステム）や、ポータルサーバ１０２が行うものとして後述する各処理をＣＰＵ２０１に実行させるためのコンピュータプログラムやデータが保存されている。外部メモリ２１１に保存されているコンピュータプログラムやデータは、ＣＰＵ２０１による制御に従って適宜ＲＡＭ２０３にロードされ、ＣＰＵ２０１による処理対象となる。
【００３９】
通信Ｉ／Ｆコントローラ２０８は、上記のネットワーク１９５上に接続されている機器やデータセンタにおける他の機器とのデータ通信を行うためのインターフェースとして機能するものである。
【００４０】
ＣＰＵ２０１、ＲＯＭ２０２、ＲＡＭ２０３、入力コントローラ２０５、ビデオコントローラ２０６、メモリコントローラ２０７、通信Ｉ／Ｆコントローラ２０８、は何れも、システムバス２０４に接続されている。
【００４１】
以下では説明を簡単にするために、端末機器１１３、読影管理サーバ１０１、ポータルサーバ１０２、は何れも図２に示した構成を有するものとして説明するが、図１において記憶装置１１５及びデータベース１０８を除く他の機器についても同様の構成を有していても良いし、他の構成を有していても良い。
【００４２】
次に、読影センタにおける読影医が、以上説明した遠隔読影システムを利用して読影を行う場合における、該遠隔読影システムの動作について説明する。
【００４３】
読影医が端末機器１１３のＫＢ２０９を操作して自身の識別情報（例えばＩＤ）を入力してから送信指示を入力すると、端末機器１１３のＣＰＵ２０１はこの識別情報をネットワーク１９５を介して配信サーバ１０６に対して送信する。
【００４４】
配信サーバ１０６は、データベース１０８に登録されている依頼情報群のうち、端末機器１１３から受信した識別情報を含む識別情報（即ち、図７Ａに例示するテーブルにおいて、端末機器１１３から受信した識別情報が担当ユーザＩＤとして登録された行の依頼情報）を特定し、該特定した依頼情報と関連づけて記憶装置１１５に保存されている医用画像を読み出して端末機器１１３に送信する。また、配信サーバ１０６は、この特定した識別情報において右端の項目、すなわち「ステータス」を「読影待ち」に更新する。
【００４５】
これにより端末機器１１３を操作している読影医は、自身が読影を行う対象となる医用画像を端末機器１１３に取得（ダウンロード）することができるため、後は、このダウンロードした医用画像に対する読影を開始することができる。ここで、読影医は、読影を開始する際には、端末機器１１３のＫＢ２０９を用いて読影を開始する旨（開始指示）を入力するので、端末機器１１３のＣＰＵ２０１は、該開始指示を読影管理サーバ１０１に対して送信する。読影管理サーバ１０１のＣＰＵ２０１は、該開始指示を受信すると、端末機器１１３にダウンロードした医用画像に対応する依頼情報において右端の項目、すなわち「ステータス」を「読影待ち」から「読影中」に更新する。
【００４６】
読影医は読影を行うと、その読影の結果を示すレポートを、端末機器１１３のＫＢ２０９を操作して作成する。そして読影医はレポートの作成が完了すると、ＫＢ２０９を用いて送信指示を入力するので、ＣＰＵ２０１は、このレポートを、レポートサーバ１０３に対して送信する。レポートサーバ１０３は、端末機器１１３から受信したレポートをデータベース１０８に保存する。
【００４７】
また、読影医用のポータル画面に依頼情報を表示する際に、現在の日付と読影の期限とを比較して期限が切れているものを期限切れと表示されるが、ここで期限切れとなったものを「ステータス」を「期限切れ」に反映する。この更新は、ユーザがサーバ１０１のＫＢ２０９を用いて手動で行っても良いし、図７Ａでは「期限切れ」の情報を持たないようにしてもよい。
【００４８】
このようにして、読影医は、自身の識別情報に対応する医用画像、すなわち、該読影医に割り当てられている医用画像を、自身の端末機器１１３を用いて記憶装置１１５からダウンロードすることができ、これにより読影医は、端末機器１１３を用いて、自身の識別情報に対応する医用画像、すなわち、該読影医に割り当てられている医用画像に対する読影を行うことができるだけでなく、該読影のレポートを作成してデータベース１０８に登録することができる。
【００４９】
また、データベース１０８に保存されているそれぞれの依頼情報における「ステータス」の値は、上記の様々なイベントに応じて書き換えられる。データベース１０８には、依頼情報毎に、このようなステータスだけでなく、担当ユーザＩＤも含まれていることから、データベース１０８に登録されている依頼情報群から、どの読影医が何件の（読影の）依頼を抱えているのか、抱えている依頼のうち何件が読影待ちで何件が読影中で何件が期限切れであるのか、何件が未割り当てであるのか、等を求めることができる。
【００５０】
次に、以上説明した遠隔読影システムにおいて、端末機器１１３がポータル画面の要求を行った場合に、該端末機器１１３、データセンタにおけるポータルサーバ１０２、のそれぞれが行う処理について、図８のフローチャートを用いて説明する。
【００５１】
＜ステップＳ４０１＞
端末機器１１３を操作するユーザは先ず、端末機器１１３の操作部を操作して自身の識別情報を入力する。そしてユーザは、端末機器１１３の操作部を操作して該識別情報の送信指示を入力すると、端末機器１１３は、この入力された識別情報を、ポータル画面の要求としてポータルサーバ１０２に対して送信する。
【００５２】
＜ステップＳ４０３＞
ポータルサーバ１０２のＣＰＵ２０１は先ず、外部メモリ２１１に予め登録されている、ユーザ毎に、該ユーザの識別情報と該ユーザの役職と該ユーザの所属する読影センタの情報とが関連づけて登録されているテーブルをＲＡＭ２０３に読み出す。このテーブルの構成例を図７Ｂに示す。
【００５３】
図７Ｂに例示したテーブルでは、ユーザ毎に、該ユーザの所属する読影センタに固有の情報（読影センタ／施設）、該ユーザの識別情報（担当ユーザＩＤ）、該ユーザの役職（役職）、が関連づけられて登録されている。例えば、担当ユーザＩＤ＝「読影医Ａ」のユーザについては、所属する機関に固有の情報として「とととセンター」、役職として「読影医」が登録されている。すなわち、担当ユーザＩＤ＝「読影医Ａ」のユーザの所属する機関は「とととセンター」であり、該ユーザの役職は「読影医」であることが登録されている。また例えば、担当ユーザＩＤ＝「読影医Ｂ」のユーザについては、所属する機関に固有の情報として「とととセンター」、役職として「受け付け担当」及び「読影医」が登録されている。すなわち、担当ユーザＩＤ＝「読影医Ｂ」のユーザの所属する機関は「とととセンター」であり、該ユーザの役職は「受け付け担当及び読影医」であることが登録されている。
【００５４】
然るに、本ステップでは、ポータルサーバ１０２のＣＰＵ２０１は、このテーブルを参照して、端末機器１１３から受信した識別情報（担当ユーザＩＤ）と関連づけて該テーブルに登録されている「役職」を取得する。以下では、ステップＳ４０３では、図７ＢのテーブルをＲＡＭ２０３に読み出したものとして説明を行う。しかし、以下の説明は、図７Ｂのテーブルの登録内容が変わったとしても、本質的には変わらずに同様に適用することができる。
【００５５】
＜ステップＳ４０４＞
ポータルサーバ１０２のＣＰＵ２０１は、ステップＳ４０３において取得した役職が「読影医」であるのか、「受け付け担当及び読影医」であるのか、「受け付け担当」であるのか、を判断する。この判断の結果、「読影医」若しくは「受け付け担当及び読影医」である場合には、処理はステップＳ４０５に進み、「受け付け担当」である場合には、処理はステップＳ４０７に進む。
【００５６】
＜ステップＳ４０５＞
ポータルサーバ１０２のＣＰＵ２０１は、外部メモリ２１１に予め登録されている依頼情報群をＲＡＭ２０３に読み出す。そしてポータルサーバ１０２のＣＰＵ２０１は、該読み出した依頼情報群のうち、端末機器１１３から受信した識別情報を担当ユーザＩＤとして含む依頼情報を抽出する。そしてポータルサーバ１０２のＣＰＵ２０１は、該抽出した依頼情報のうち、ステータスが「期限切れ」となっている依頼情報の数（ステータスが「期限切れ」となっている依頼件数）、ステータスが「読影中」となっている依頼情報の数（ステータスが「読影中」となっている依頼件数）、ステータスが「読影待ち」となっている依頼情報の数（ステータスが「読影待ち」となっている依頼件数）、のそれぞれを計数する。
【００５７】
なお、先ほど説明したように、ステータスに「期限切れ」を持たないようにする場合は、読影期限と現在の日時の関係によって「期限切れ」となる件数を計数する。
【００５８】
例えば、外部メモリ２１１に予め登録されている依頼情報群が、図７Ａに示す依頼情報群である場合であって、端末機器１１３から受信した識別情報が「読影医Ａ」である場合、図７Ａのテーブルから、識別情報＝「読影医Ａ」を担当ユーザＩＤとして含む依頼情報、即ち、上から９行分の依頼情報を抽出する。そしてポータルサーバ１０２のＣＰＵ２０１は、該抽出した依頼情報のうち、ステータスが「期限切れ」となっている依頼情報の数（＝３）、ステータスが「読影中」となっている依頼情報の数（＝３）、ステータスが「読影待ち」となっている依頼情報の数（＝３）、のそれぞれを計数する。
【００５９】
＜ステップＳ４０６＞
ポータルサーバ１０２のＣＰＵ２０１は、ステップＳ４０３において取得した役職が「受け付け担当及び読影医」である場合には、処理はステップＳ４０７に進み、「読影医」である場合には、処理はステップＳ４０８に進む。
【００６０】
＜ステップＳ４０７＞
ポータルサーバ１０２のＣＰＵ２０１は先ず、ステップＳ４０３でＲＡＭ２０３に読み出したテーブルを参照し、端末機器１１３から受信した識別情報と関連づけられている「読影センタ／施設」を特定する。そしてポータルサーバ１０２のＣＰＵ２０１は、外部メモリ２１１に予め登録されている依頼情報群をＲＡＭ２０３に読み出し（すでに読み出している場合は省略する）、該読み出した依頼情報群から、特定した「読影センタ／施設」を「読影センター名」として含む依頼情報を抽出する。そしてポータルサーバ１０２のＣＰＵ２０１は、抽出した依頼情報のうち、ステータスが「期限切れ」となっている依頼情報の総数、ステータスが「読影中」となっている依頼情報の総数、ステータスが「読影待ち」となっている依頼情報の総数、ステータスが「未割当」となっている依頼情報の総数、のそれぞれを計数する。また、ポータルサーバ１０２のＣＰＵ２０１は、抽出した依頼情報のうち、担当ユーザＩＤ毎に、ステータスが「期限切れ」となっている依頼情報の数、ステータスが「読影中」となっている依頼情報の数、ステータスが「読影待ち」となっている依頼情報の数、のそれぞれを計数する。
【００６１】
例えば、外部メモリ２１１に予め登録されている依頼情報群が、図７Ａに示す依頼情報群である場合であって、端末機器１１３から受信した識別情報が「読影医Ａ」である場合、先ず、図７Ｂのテーブルから、識別情報＝「読影医Ａ」と関連づけて該テーブルに登録されている「読影センタ／施設」＝「とととセンター」を特定する。次に、図７Ａのテーブルから、「とととセンター」を「読影センター名」として含む依頼情報、即ち、上から１０行分の依頼情報を抽出する。
【００６２】
そして抽出した依頼情報のうち、ステータスが「期限切れ」となっている依頼情報の総数（＝３）、ステータスが「読影中」となっている依頼情報の総数（＝３）、ステータスが「読影待ち」となっている依頼情報の総数（＝４）、ステータスが「未割当」となっている依頼情報の総数（＝０）、のそれぞれを計数する。
【００６３】
また、図７Ａの場合、抽出した依頼情報は、担当ユーザＩＤ＝読影医Ａに対する依頼情報と、担当ユーザＩＤ＝読影医Ｂに対する依頼情報と、から成る。然るにこの場合、担当ユーザＩＤ＝読影医Ａに対する依頼情報のうち、ステータスが「期限切れ」となっている依頼情報の数（＝３）、ステータスが「読影中」となっている依頼情報の数（＝３）、ステータスが「読影待ち」となっている依頼情報の数（＝３）、のそれぞれを計数すると共に、担当ユーザＩＤ＝読影医Ｂに対する依頼情報のうち、ステータスが「期限切れ」となっている依頼情報の数（＝０）、ステータスが「読影中」となっている依頼情報の数（＝０）、ステータスが「読影待ち」となっている依頼情報の数（＝１）、のそれぞれを計数する。
【００６４】
＜ステップＳ４０８＞
ポータルサーバ１０２のＣＰＵ２０１は、ステップＳ４０３において取得した役職が「読影医」であるのか、「受け付け担当及び読影医」であるのか、「受け付け担当」であるのか、を判断する。この判断の結果、「読影医」である場合には、処理はステップＳ４０９に進み、「受け付け担当及び読影医」である場合には、処理はステップＳ４１０に進み、「受け付け担当」である場合には、処理はステップＳ４１１に進む。
【００６５】
＜ステップＳ４０９＞
ポータルサーバ１０２のＣＰＵ２０１は、図４や図５に例示するような読影医用のポータル画面のデータを生成する。図４のポータル画面は、端末機器１１３から受信した識別情報＝読影医Ａである場合のポータル画面である。図５のポータル画面は、端末機器１１３から受信した識別情報＝読影医Ｃである場合のポータル画面である。
【００６６】
図４の領域４０１内には、読影医Ａに割り当てられている読影の全依頼件数、即ち、外部メモリ２１１に予め登録されている依頼情報群のうち端末機器１１３から受信した識別情報＝読影医Ａを担当ユーザＩＤとして含む依頼情報の数（＝９）を示す棒グラフが、数直線と共に表示されている。図５の領域５０１内には、読影医Ｃに割り当てられている読影の全依頼件数、即ち、外部メモリ２１１に予め登録されている依頼情報群のうち端末機器１１３から受信した識別情報＝読影医Ｃを担当ユーザＩＤとして含む依頼情報の数（＝３）を示す棒グラフが、数直線と共に表示されている。何れの数直線も同じ長さ（＝Ｘ）であり、右端の値（上限値）が異なるだけである。
【００６７】
数直線の左端には０が割り当てられており、右端には「外部メモリ２１１に予め登録されている依頼情報群のうち端末機器１１３から受信した識別情報を担当ユーザＩＤとして含む依頼情報の数」（Ｔｄとする）が割り当てられており、この数直線は、値Ｔｄを上限値とする固定長の数直線となっている。この棒グラフは、値Ｔｄを表す棒グラフであるから、数直線と同じ長さとなっている。更に、この棒グラフは、ステータスが「読影待ち」となっている依頼件の数に相当する区間（区間Ｐ）、ステータスが「読影中」となっている依頼件の数に相当する区間（区間Ｑ）、ステータスが「期限切れ」となっている依頼件の数に相当する区間（区間Ｒ）、に分割された状態で表示され、それぞれの区間は識別可能な表示形態（互いに異なる表示形態）で表示される。例えば、色や輝度などを区間毎に異ならせる。
【００６８】
Ｔｄのうち、ステータスが「読影待ち」となっている依頼件の数をＰ、ステータスが「読影中」となっている依頼件の数をＱ、ステータスが「期限切れ」となっている依頼件の数をＲ、とすると、区間Ｐの長さはＸ×Ｐ／Ｔｄ、区間Ｑの長さはＸ×Ｑ／Ｔｄ、区間Ｒの長さはＸ×Ｒ／Ｔｄ、となる。然るに、このような長さを有する区間Ｐ、区間Ｑ、区間Ｒをこの順に連結して並べることで、値Ｔｄの棒グラフを形成することができる。なお、数直線におけるメモリの間隔については、区間の区切りの位置が分かるように間隔を設定することが好ましい。これは、以降に説明する他の数直線についても同様である。
【００６９】
また、それぞれの区間内には、該区間に対応する依頼件数を示す数字を重ねて配置している。これは、以降に説明する他の棒グラフにおける各区間についても同様である。
【００７０】
＜ステップＳ４１０＞
ポータルサーバ１０２のＣＰＵ２０１は、図３に例示するような、受け付け担当を兼ねた読影医用のポータル画面のデータを生成する。図３のポータル画面は、端末機器１１３から受信した識別情報＝読影医Ｂである場合のポータル画面である。
【００７１】
図３の領域３０１内には、識別情報＝「読影医Ｂ」と関連づけて図７Ｂのテーブルに登録されている「読影センタ／施設」＝「とととセンター」に対して依頼された読影の総依頼件数（図７Ａのテーブルにおいて、識別情報＝「読影医Ｂ」と関連づけて図７Ｂのテーブルに登録されている「読影センタ／施設」＝「とととセンター」を含む依頼情報の数）Ｔを示す棒グラフが、数直線と共に表示されている。この数直線も、図４，５に示した数直線と同じ長さ（＝Ｘ）であり、右端の値（上限値）が異なるだけである。
【００７２】
この数直線の左端には０が割り当てられており、右端には値Ｔが割り当てられており、この数直線は、値Ｔを上限値とする固定長の数直線となっている。この棒グラフは、値Ｔを表す棒グラフであるから、数直線と同じ長さとなっている。更に、この棒グラフは、識別情報＝「読影医Ｂ」と関連づけて図７Ｂのテーブルに登録されている「読影センタ／施設」＝「とととセンター」を含む依頼情報の総数（「読影センタ／施設」＝「とととセンター」に対して依頼された読影の総依頼件数）のうち、ステータスが「未割当」となっている依頼件の数に相当する区間（区間Ｏ）、ステータスが「読影待ち」となっている依頼件の数に相当する区間（区間Ｐ）、ステータスが「読影中」となっている依頼件の数に相当する区間（区間Ｑ）、ステータスが「期限切れ」となっている依頼件の数に相当する区間（区間Ｒ）、に分割された状態で表示され、それぞれの区間は異なる表示形態（色や輝度など）で表示される。それぞれの区間の長さの求め方や表示方法については上記の通りである。
【００７３】
更に、領域３０１内には、読影医Ａに割り当てられている読影の全依頼件数（読影医Ａの依頼情報の数）を示す棒グラフ、読影医Ｂに割り当てられている読影の全依頼件数（読影医Ｂの依頼情報の数）を示す棒グラフ、読影医Ｃに割り当てられている読影の全依頼件数（読影医Ｃの依頼情報の数）を示す棒グラフ、が数直線と共に表示されている。この数直線も先の数直線と同じ長さ（＝Ｘ）であり、右端の値（上限値）が異なるだけである。
【００７４】
この数直線の左端には０が割り当てられており、右端には読影医Ａの依頼情報の数、読影医Ｂの依頼情報の数、読影医Ｃの依頼情報の数、のうち最大の値Ｂｍａｘが割り当てられており、この数直線は、値Ｂｍａｘを上限値とする固定長の数直線となっている。更に、それぞれの棒グラフは、ステータスが「読影待ち」となっている依頼件の数に相当する区間（区間Ｐ）、ステータスが「読影中」となっている依頼件の数に相当する区間（区間Ｑ）、ステータスが「期限切れ」となっている依頼件の数に相当する区間（区間Ｒ）、に分割された状態で表示され、それぞれの区間は異なる表示形態（色や輝度など）で表示される。
【００７５】
ここで、読影医Ａ、読影医Ｂ、読影医Ｃをそれぞれ読影医Ｂ１、読影医Ｂ２、読影医Ｂ３と表現し、読影医Ｂｉ（１≦ｉ≦３）についてステータスが「読影待ち」となっている依頼件の数をＰｉ、ステータスが「読影中」となっている依頼件の数をＱｉ、ステータスが「期限切れ」となっている依頼件の数をＲｉ、とすると、読影医Ｂｉの棒グラフにおける区間Ｐの長さはＸ×Ｐｉ／Ｂｍａｘ、区間Ｑの長さはＸ×Ｑｉ／Ｂｍａｘ、区間Ｒの長さはＸ×Ｒｉ／Ｂｍａｘ、となる。然るに、このような長さを有する区間Ｐ、区間Ｑ、区間Ｒをこの順に結合して並べることで、読影医Ｂｉの棒グラフを構成することができる。
【００７６】
また、領域３０２には、読影医Ｂに割り当てられている読影の全依頼件数を示す棒グラフが、数直線と共に表示されている。この数直線も先の数直線と同じ長さ（＝Ｘ）であり、左端の値（上限値）が異なるだけである。
【００７７】
この数直線の左端には０が割り当てられており、右端には値Ｂｍａｘが割り当てられており、この数直線は、値Ｂｍａｘを上限値とする固定長の数直線となっている。更に、この棒グラフは、ステータスが「読影待ち」となっている依頼件の数に相当する区間（区間Ｐ）、ステータスが「読影中」となっている依頼件の数に相当する区間（区間Ｑ）、ステータスが「期限切れ」となっている依頼件の数に相当する区間（区間Ｒ）、に分割された状態で表示され、それぞれの区間は異なる表示形態（色や輝度など）で表示される。
【００７８】
読影医Ｂについてステータスが「読影待ち」となっている依頼件の数をＰｂ、ステータスが「読影中」となっている依頼件の数をＱｂ、ステータスが「期限切れ」となっている依頼件の数をＲｂ、とすると、読影医Ｂの棒グラフにおける区間Ｐの長さはＸ×Ｐｂ／Ｂｍａｘ、区間Ｑの長さはＸ×Ｑｂ／Ｂｍａｘ、区間Ｒの長さはＸ×Ｒｂ／Ｂｍａｘ、となる。然るに、このような長さを有する区間Ｐ、区間Ｑ、区間Ｒをこの順に連結して並べることで、読影医Ｂの棒グラフを形成することができる。
【００７９】
なお、図３では、それぞれの読影医の棒グラフを、依頼件数が多いものから順に上から並べているが、棒グラフの並び順は特定の並び順に限るものではなく、他の並び順で並べても構わない。また、同ポータル画面内にソート基準を選択させるためのチェックボタン群を設けても良く、その場合、端末機器１１３のユーザが操作部を操作してこのチェックボタン群から所望のソート基準に対応するチェックボタンを選択すると、ポータルサーバ１０２のＣＰＵ２０１は、それぞれの読影医の棒グラフをこの選択されたソート基準に従って並び替えたポータル画面を新たに作成して端末機器１１３に送信する。
【００８０】
このように、ステップＳ４１０では、
・  読影の依頼件数を上限値とする数直線と共に、該依頼件数を表す棒グラフを表示する第１の表示
・  読影の依頼件数の内訳として管理されている読影医毎の依頼件数のうち最大の依頼件数を上限値とする数直線と共に、該読影医毎の依頼件数を表す棒グラフを表示する第２の表示
・  読影の依頼件数の内訳として管理されている読影医毎の依頼件数のうち最大の依頼件数を上限値とする数直線と共に、読影の依頼件数の内訳として管理されているユーザの依頼件数を表す棒グラフを表示する第３の表示
として規定される第１乃至３の表示を１つの表示画面（ポータル画面）で行うための表示画面情報を生成する。これにより、ユーザが受け付け担当を兼ねる読影医である場合には、自身に対する読影の依頼件数（進捗状況毎の件数）と、他の読影医に対する読影の依頼件数（進捗状況毎の件数）と、を同じ尺度で比較しながら閲覧することができる。
【００８１】
＜ステップＳ４１１＞
ポータルサーバ１０２のＣＰＵ２０１は、図６に例示するような、受け付け担当用のポータル画面のデータを生成する。図６のポータル画面は、端末機器１１３から受信した識別情報＝事務員Ａである場合のポータル画面である。
【００８２】
領域６０１内には、領域３０１と同様に、識別情報＝「事務員Ａ」と関連づけて図７Ｂのテーブルに登録されている「読影センタ／施設」＝「とととセンター」に対して依頼された読影の総依頼件数を示す棒グラフが数直線と共に表示されていると共に、読影医Ａに割り当てられている読影の全依頼件数（読影医Ａの依頼情報の数）を示す棒グラフ、読影医Ｂに割り当てられている読影の全依頼件数（読影医Ｂの依頼情報の数）を示す棒グラフ、読影医Ｃに割り当てられている読影の全依頼件数（読影医Ｃの依頼情報の数）を示す棒グラフ、が数直線と共に表示されている。本ステップでは、このようなポータル画面のデータを生成する。本ステップにおけるポータル画面のデータの生成方法の詳細については上記の通りである。
【００８３】
＜ステップＳ４１２＞
ポータルサーバ１０２のＣＰＵ２０１は、ステップＳ４０９〜Ｓ４１１の何れかで生成したポータル画面のデータを、ネットワーク１９５を介して端末機器１１３に対して送出する。これにより端末機器１１３のディスプレイ２１０には、ポータルサーバ１０２から送信したデータに基づくポータル画面が表示されることになる。
【００８４】
なお、本フローチャートでは、ステップＳ４０３で取得した役職を一度に判定（例えば読影医と受付担当など）するように説明したが、取得した役割の数だけ独立した処理としてループするようにしてもよい。この場合、例えば役職がば読影医と受付担当であった場合、まず読影医としての画面表示の処理を行い、次に受付担当としての画面表示の処理を行い、最後にこれらをまとめて表示制御することになる。
【００８５】
［第２の実施形態］
第１の実施形態では、読影医は読影センタだけに所属するものとして説明したが、他の機関、例えば、別の読影センタや医療機関、該読影医の自宅に所属するものとしてもよい。その場合、この自宅に設けられた端末機器は、その所属が異なるだけで、あとは端末機器１１３と同様に取り扱われることになる。
【００８６】
［第３の実施形態］
図３では、読影医Ａ、読影医Ｂ、読影医Ｃの３人の棒グラフを表示する例を説明したが、このケースでは、これらの棒グラフは全て領域３０１内に収まっている。しかし、より多くの読影医の棒グラフを表示する場合には、領域３０１内には収まらない。そこでこのような場合には、例えば、図３において読影医毎の棒グラフの表示領域の代わりに規定サイズの表示領域及び上下スライダを設け、該表示領域に表示しきれる分だけの読影医の棒グラフを表示し、端末機器１１３のユーザが操作部を操作して上下スライダを上下に操作することで表示領域内をスクロールさせて未表示の棒グラフを表示させるようなポータル画面のデータを生成しても良い。その場合、表示領域内に表示される棒グラフ群から再度、数直線の上限値を再計算しても良い。
【００８７】
［第４の実施形態］
第１の実施形態では、読影センタに依頼された読影医の総依頼件数の棒グラフ（領域３０１内で上部に表示されている棒グラフ）は、未割当、読影待ち、読影中、期限切れ、のそれぞれの項目に該当する依頼件数分の長さの区間を連結させた棒グラフとした。ここで、同ポータル画面内に、未割当、読影待ち、読影中、期限切れ、のそれぞれの項目に該当するチェックボタンを設けても構わない。この場合、端末機器１１３のユーザが操作部を操作して、表示画面に表示されているポータル画面内の何れかのチェックボタンを選択すると、ポータルサーバ１０２のＣＰＵ２０１は、選択されたチェックボタンに対応する項目についてのみ依頼件数を計数し、該計数した依頼件数分の長さの区間を連結させた棒グラフを生成すると共に、該計数した依頼件数の合計値を上限値とする数直線を生成する。例えば、端末機器１１３のユーザが操作部を操作して「読影待ち」に対応するチェックボタン及び「読影中」に対応するチェックボタンを選択した場合、読影管理サーバ１０１のＣＰＵ２０１は、「読影待ち」に該当する依頼件数及び「読影中」に該当する依頼件数を計数し、「読影待ち」に該当する依頼件数分の長さの区間、「読影中」に該当する依頼件数分の長さの区間、を連結させた棒グラフを生成すると共に、該計数したそれぞれの依頼件数の合計値を上限値とする数直線を生成する。これは他のチェックボタンを選択した場合も同様である。そして読影管理サーバ１０１のＣＰＵ２０１は、このようにして棒グラフ及び数直線を更新したポータル画面のデータを生成して端末機器１１３に対して送信する。
【００８８】
また、これは、読影医毎の棒グラフ（領域３０１内で下部に表示されている棒グラフ）や、領域３０２内に表示する棒グラフについても同様で、選択したチェックボタンに対応する項目についての棒グラフ及び数直線を表示するように、ポータル画面のデータを生成しても良い。
【００８９】
［第５の実施形態］
第１の実施形態では、役職として、読影医、受け付け担当を兼ねる読影医、受け付け担当（読影医は兼ねない）、の３つを例にとり、それぞれの役職に応じたポータル画面のデータを生成することについて説明した。しかし、役職はこれに限るものではなく、例えば、同じ読影医であっても、より大きい権限を有する読影医には、受け付け担当を兼ねる読影医と同等のポータル画面を提示しても良い。また、役職によっては、領域３０１の上部に表示した情報、領域３０１の下部に示した情報、領域３０２に表示した情報、のうち１以上を適宜組み合わせた情報を提示しても良い。
【図１】
2019083054.tif 000003
【図２】
2019083054.tif 000004
【図３】
2019083054.tif 000005
【図４】
2019083054.tif 000006
【図５】
2019083054.tif 000007
【図６】
2019083054.tif 000008
【図７Ａ】
2019083054.tif 000009
【図７Ｂ】
2019083054.tif 000010
【図８】
2019083054.tif 000011
【手続補正書】
【提出日】平成31年2月26日(2019.2.26)
【手続補正１】
【補正対象書類名】明細書
【補正対象項目名】０００６
【補正方法】変更
【補正の内容】
【０００６】
本発明はこのような問題に鑑みてなされたものであり、読影の依頼に関する情報を、該情報を閲覧するユーザの識別情報に応じた適切な表示形態で提示するための技術を提供する。
【手続補正２】
【補正対象書類名】明細書
【補正対象項目名】０００７
【補正方法】変更
【補正の内容】
【０００７】
本発明の一様態によれば、読影の依頼を示す依頼情報を管理する読影管理システムであって、
情報処理装置を介して入力されたユーザの識別情報を取得する取得手段と、
前記取得手段で取得した識別情報に応じて、受け付けた依頼情報の総数を示す第１の表示を表示するか、該受け付けた依頼情報のうち前記ユーザに割り振られた依頼情報の数を示す第２の表示を表示するか、を決定する決定手段と
を備えることを特徴とする。
【手続補正３】
【補正対象書類名】明細書
【補正対象項目名】０００８
【補正方法】変更
【補正の内容】
【０００８】
本発明の構成によれば、読影の依頼に関する情報を、該情報を閲覧するユーザの識別情報に応じた適切な表示形態で提示することができる。
【手続補正４】
【補正対象書類名】特許請求の範囲
【補正対象項目名】全文
【補正方法】変更
【補正の内容】
【特許請求の範囲】
【請求項１】
読影の依頼を示す依頼情報を管理する読影管理システムであって、
情報処理装置を介して入力されたユーザの識別情報を取得する取得手段と、
前記取得手段で取得した識別情報に応じて、受け付けた依頼情報の総数を示す第１の表示を表示するか、該受け付けた依頼情報のうち前記ユーザに割り振られた依頼情報の数を示す第２の表示を表示するか、を決定する決定手段と
を備えることを特徴とする読影管理システム。
【請求項２】
前記決定手段は、前記取得手段で第１の識別情報を取得した場合には、受け付けた依頼情報の総数を示す第１の表示を表示することを決定し、前記取得手段で第２の識別情報を取得した場合には、該受け付けた依頼情報のうち前記ユーザに割り振られた依頼情報の数を示す第２の表示を表示することを決定することを特徴とする請求項１に記載の読影管理システム。
【請求項３】
前記第１の識別情報は、役職を示す第１の役職情報に対応する識別情報であり、
前記第２の識別情報は、役職を示す第２の役職情報に対応する識別情報であり、
前記決定手段は、前記取得手段で取得した第１の識別情報に対応する役職情報が前記第１の役職情報である場合には、受け付けた依頼情報の総数を示す第１の表示を表示することを決定し、前記取得手段で取得した第２の識別情報に対応する役職情報が前記第２の役職情報である場合には、該受け付けた依頼情報のうち前記ユーザに割り振られた依頼情報の数を示す第２の表示を表示することを決定することを特徴とする請求項２に記載の読影管理システム。
【請求項４】
前記第１の役職情報は受付担当を示す情報であり、前記第２の役職情報は読影医を示す情報であることを特徴とする請求項３に記載の読影管理システム。
【請求項５】
前記決定手段は、前記取得手段で取得した識別情報に応じて、受け付けた依頼情報の総数を示す第１の表示を表示するか、該受け付けた依頼情報のうち前記ユーザに割り振られた依頼情報の数を示す第２の表示を表示するか、前記第１の表示及び前記第２の表示の両方を表示するか、を決定することを特徴とする請求項１乃至４のいずれか１項に記載の読影管理システム。
【請求項６】
前記第１の表示と前記第２の表示を、前記依頼情報の数を示す数直線とグラフとを用いて表示するよう制御する表示制御手段をさらに備えることを特徴とする請求項１乃至５のいずれか１項に記載の読影管理システム。
【請求項７】
前記決定手段は、前記依頼情報の数に応じて前記数直線の値を決定し、
前記表示制御手段は、前記決定手段で決定した前記値を用いて前記第１の表示と前記第２の表示を制御することを特徴とする請求項６に記載の読影管理システム。
【請求項８】
前記決定手段は、前記第１の表示では前記依頼情報の総数を前記数直線の最大値として前記値を決定し、前記第２の表示では前記依頼情報のうち前記ユーザに割り振られた依頼情報の数を前記数直線の最大値として前記値を決定することを特徴とする請求項７に記載の読影管理システム。
【請求項９】
読影の依頼を示す依頼情報を管理する読影管理システムの制御方法であって、
情報処理装置を介して入力されたユーザの識別情報を取得する取得工程と、
前記取得工程で取得した識別情報に応じて、受け付けた依頼情報の総数を示す第１の表示を表示するか、該受け付けた依頼情報のうち前記ユーザに割り振られた依頼情報の数を示す第２の表示を表示するか、を決定する決定工程と
を含むことを特徴とする読影管理システムの制御方法。
【請求項１０】
読影の依頼を示す依頼情報を管理する情報処理装置であって、
前記情報処理装置を介して入力されたユーザの識別情報を取得する取得手段と、
前記取得手段で取得した識別情報に応じて、受け付けた依頼情報の総数を示す第１の表示を表示するか、該受け付けた依頼情報のうち前記ユーザに割り振られた依頼情報の数を示す第２の表示を表示するか、を決定する決定手段と
を備えることを特徴とする情報処理装置。
【請求項１１】
読影の依頼を示す依頼情報を管理する情報処理装置の制御方法であって、
前記情報処理装置を介して入力されたユーザの識別情報を取得する取得工程と、
前記取得工程で取得した識別情報に応じて、受け付けた依頼情報の総数を示す第１の表示を表示するか、該受け付けた依頼情報のうち前記ユーザに割り振られた依頼情報の数を示す第２の表示を表示するか、を決定する決定工程と
を含むことを特徴とする情報処理装置の制御方法。
【請求項１２】
コンピュータを、請求項１０に記載の情報処理装置の各手段として機能させるためのプログラム。